(57)【要約】【課題】集塵室の気密を確保するシール部材に起因する材料費の無駄を軽減できるようにした電気掃除機を提供する。【解決手段】電気掃除機１は、集塵袋31、集塵袋ホルダ21、電動送風機10が内蔵された掃除機本体２、及び蓋体11を具備する。ホルダ21を、支持板の裏面に通気性の袋本体を装着してなる集塵袋31が着脱可能に取付けられるホルダベース22の周部に、枠状で軟質なシール部材27を接着して形成する。本体２は、電動送風機10の上流側に袋本体が収容される集塵室５を有するとともに、ベース22の周部を受ける枠状の受け部６を有し、この受け部６が集塵室５の開口を囲んでいる。蓋体11は、集塵室５を開閉するように掃除機本体２に取付けられていて、含塵空気が導入される吸込み口15、及び受け部６に対応する枠状の押圧部を有する。蓋体11が開口を閉じた状態で、吸込み口15が袋本体内に連通されるとともに、押圧部が受け部６との間にシール部材27を挟持するようにしている。【選択図】      図３
2009106449.tif 000002
【特許請求の範囲】
【請求項１】
支持板及びこの支持板の裏面に装着された通気性の袋本体を有した集塵袋と、
この集塵袋が着脱可能に取付けられるホルダベース、及びこのベースの周部に接着された枠状で軟質なシール部材を有した集塵袋ホルダと、
電動送風機と、
この電動送風機が内蔵されているとともに、前記電動送風機の上流側に前記袋本体が収容される集塵室を有していて、この集塵室の開口が前記ホルダベースの周部を受ける枠状の受け部により囲まれている掃除機本体と、
含塵空気が導入される吸込み口、及び前記受け部に対応する枠状の押圧部を有して、前記開口を開閉するように前記掃除機本体に取付けられた蓋体であって、前記開口を閉じた状態で、前記吸込み口が前記袋本体内に連通されるとともに前記押圧部が前記受け部との間に前記シール部材を挟持する蓋体と、
を具備したことを特徴とする電気掃除機。
【請求項２】
支持板、この支持板の裏面に装着された通気性の袋本体、及び前記支持板の周部に接着された枠状で軟質なシール部材を有した集塵袋と、
電動送風機と、
この電動送風機が内蔵されているとともに、前記電動送風機の上流側に前記袋本体が収容される集塵室を有していて、この集塵室の開口が前記支持板の周部を受ける枠状の受け部により囲まれている掃除機本体と、
含塵空気が導入される吸込み口、及び前記受け部に対応する枠状の押圧部を有して、前記開口を開閉するように前記掃除機本体に取付けられた蓋体であって、前記開口を閉じた状態で、前記吸込み口が前記袋本体内に連通されるとともに前記押圧部が前記受け部との間に前記シール部材を挟持する蓋体と、
を具備したことを特徴とする電気掃除機。
【請求項３】
支持板及びこの支持板の裏面に装着された通気性の袋本体を有した集塵袋と、
前記支持板の周部に着脱可能に取付けられた枠状で軟質なシール部材と、
電動送風機と、
この電動送風機が内蔵されているとともに、前記電動送風機の上流側に前記袋本体が収容される集塵室を有していて、前記シール部材が取付けられた前記支持板の周部を受ける枠状の受け部により前記集塵室の開口が囲まれている掃除機本体と、
含塵空気が導入される吸込み口、及び前記受け部に対応する枠状の押圧部を有して、前記開口を開閉するように前記掃除機本体に取付けられた蓋体であって、前記開口を閉じた状態で、前記吸込み口が前記袋本体内に連通されるとともに前記押圧部が前記受け部との間に前記シール部材を挟持する蓋体と、
を具備したことを特徴とする電気掃除機。
【請求項４】
掃除機本体の集塵室に収容されて、この集塵室を開閉する蓋体の押圧部と前記掃除機本体の受け部とで挟持されて使用される電気掃除機用の集塵袋であって、
周部が前記受け部で受けられる支持板と、この支持板の裏側に装着されて前記集塵室に収容される通気性の袋本体と、前記支持板の周部に接着されて前記蓋体が閉じられた状態で前記押圧部と受け部とで挟持される枠状で軟質なシール部材と、を有したことを特徴とする電気掃除機用の集塵袋。
【発明の詳細な説明】
【技術分野】
【０００１】
本発明は、吸引された空気と塵を、集塵袋を用いて分離する電気掃除機、及びこの電気掃除機に用いられる集塵袋に関する。
【背景技術】
【０００２】
従来の電気掃除機では、掃除機本体の前部に上端が開口された集塵室を形成するとともに、この集塵室に上下方向に出し入れされる集塵袋を収容している。そして、集塵室の開口を開閉する蓋体を掃除機本体に回動可能に取付け、この蓋体を閉じることで集塵室の開口に沿って取付けたシール部材に、蓋体の裏面に形成された角筒状の周壁を圧接させて、集塵室の気密を確保している。又、集塵室内の空気を吸引する電動送風機を掃除機本体の後部に内蔵し、この電動送風機の運転によって、掃除機本体の前壁部に設けられた吸込み口から吸引された含塵空気を集塵袋に通過させて、この空気中の塵をろ過分離するようになっている（例えば、特許文献１参照。）。
【特許文献１】特開2000−70201号公報（段落0029,0032,0035,0042,0043，0048,0051、0062−0064,0068、図１−図１０）
【発明の開示】
【発明が解決しようとする課題】
【０００３】
掃除機本体の集塵室の気密を保持するのに、この集塵室の開口に沿ってシール部材を取付けた構成では、シール部材が、不用意に捲れないようにするとともに、外れないようにするために、シール部材は接着剤を用いて装着することが一般的である。
【０００４】
ところで、集塵室の開口は蓋体を開くと視認される部位であるので、シール部材を固定する接着剤の一部が容易に視認できる状態に食み出している場合には、掃除機本体の外観不良となる。こうしたことは、シール部材の塗布管理に拘わらず起こり得る可能性があり、外観不良と判断された掃除機本体は廃棄処分となる。
【０００５】
掃除機本体は、電気掃除機を形成する部品の中で最大の大きさであるので、これが廃棄部品となることは材料費の無駄となりコスト的に不利である。なお、掃除機本体に代えて蓋体の角筒状の周壁にシール部材を接着した電気掃除機もある。この電気掃除機でも、蓋体に接着剤の食み出しによる外観不良を生じた場合には、それに基づいて比較的大きい形状の蓋体が廃棄されるので、同様な問題がある。
【０００６】
本発明の目的は、集塵室の気密を確保するシール部材に起因する材料費の無駄を軽減できるようにした電気掃除機、及びこれに用いられる集塵袋を提供することにある。
【課題を解決するための手段】
【０００７】
本発明の電気掃除機は、集塵袋が着脱可能に取付けられる集塵袋ホルダを備え、このホルダが有したボルダベースの周部に枠状で軟質なシール部材を接着し、集塵室を有する掃除機本体に、集塵室の開口を囲むとともにホルダベースの周部を受ける枠状の受け部を設け、集塵室の開口を開閉するように掃除機本体に取付けられた蓋体に、含塵空気が導入される吸込み口を設けるとともに受け部に対応する枠状の押圧部を設けて、蓋体が開口を閉じた状態で、集塵室に配置されている集塵袋の袋本体内に吸込み口が連通されるとともに、押圧部と受け部とでシール部材を挟持して集塵室の気密を確保するようにしたことを特徴としている。
【０００８】
本発明では、掃除機本体及び蓋体のいずれにもシール材を接着することなく集塵室の気密を確保できるので、シール部材の接着不良に起因して掃除機本体及び蓋体が廃棄されることがない。又、集塵袋ホルダがそれに接着されたシール部材の接着不良に起因して廃棄されることがあっても、集塵袋ホルダは掃除機本体及び蓋体よりも小さい部品であるので、廃棄に伴う材料費の無駄を軽減できる。
【発明の効果】
【０００９】
本発明によれば、集塵室の気密を確保するシール部材に起因する材料費の無駄を軽減できるようにした電気掃除機、及びこれに用いられる集塵袋を提供できる。
【発明を実施するための最良の形態】
【００１０】
図１〜図８を参照して本発明の第１実施形態を説明する。
【００１１】
図１〜図５中符号１は例えばキャニスタ型の電気掃除機を示している。この電気掃除機１は、掃除機本体２、蓋体１１、電動送風機１０、集塵袋ホルダ２１、集塵袋３１を具備しているとともに、図示しないが吸塵ホース、延長管、及び吸込み口体等も備えている。
【００１２】
掃除機本体２は、互いに連結された下部本体ケース２ａと上部本体ケース２ｂとを有している。下部本体ケース２ａは上方に開口されている。下部本体ケース２ａに建物の床面に沿って自在に移動するための車輪３及びキャスタ４が取付けられている。上部本体ケース２ｂは、下部本体ケース２ａの後部を上方から覆っているとともに、下部本体ケース２ａの前部を開放している。この前部開放端を図３中に符号２ｃで示す。
【００１３】
掃除機本体２は、その前部に上部本体ケース２ｂの前部開放端２ｃの下方に設けられた集塵室５を有しているとともに、後部に送風機室（図示しない）を有している。集塵室５と送風機室とは連通されている。送風機室に電動送風機１０（図３参照）が収容されていて、この電動送風機１０はその運転によって集塵室５の空気を吸引する。
【００１４】
電動送風機１０の上流側に設けられた集塵室５は、掃除機本体２の前部上方に開口されている。この集塵室５の開口は、図３〜図５に示すように上部本体ケース２ｂの下部に一体に形成された受け部６で囲まれている。受け部６は集塵室５の開口の縁をなして連続する枠状をなしていて、その受け面をなす上面は、段差や凹凸を有することなく平坦な面で形成されている。
【００１５】
掃除機本体２の上部本体ケース２ｂに図示しない枢軸を介して蓋体１１の後端部が回動自在に取付けられている。蓋体１１は、図２に示すように掃除機本体２に対して起立した開き位置と、図１に示すように上部本体ケース２ｂの開放された前部を閉じる閉じ位置とにわたって回動でき、それにより、集塵室５の開口を開閉するようになっている。
【００１６】
図４及び図５に示すように蓋体１１は、表側蓋部材１２、裏側蓋部材１３、ホース接続部材１４等を備えている。表側蓋部材１２と裏側蓋部材１３とは互いに連結されており、ホース接続部材１４は表側蓋部材１２に取付けられている。ホース接続部材１４は吸込み口１５を有している。吸込み口１５は蓋体１１の表面に開放されている。この吸込み口１５には図示しない吸塵ホースの本体接続端部が挿脱可能に差込み接続されるようになっている。更に、吸塵ホースが挿入される側とは反対側の吸込み口１５の端部１５ａは、裏側蓋部材１３を貫通していて、蓋体１１が閉じられた状態では吸込み口１５の端部１５ａが集塵室５に挿入される。
【００１７】
図２に示すように蓋体１１の裏側蓋部材１３には押圧部１６が設けられている。この押圧部１６は、受け部６に対応した枠状をなしており、蓋体１１が閉じられた状態で、図５及び図６に示すように受け部６に至近距離で対向するようになっている。更に、裏側蓋部材１３には図５及び図６に示すように押圧部１６の側方に位置して当接部１７が押圧部１６に沿うように設けられている。
【００１８】
図２に示したように裏側蓋部材１３には、枠状の押圧部１６で囲まれた部分に支持板押さえ１８とハンドル押さえ１９が設けられている。支持板押さえ１８は、吸込み口１５の端部１５ａを囲んでこの端部１５ａと押圧部１６との間に設けられていて、リング状をなしている。ハンドル押さえ１９は前記図示しない枢軸側に寄せて設けられている。
【００１９】
集塵袋３１を支持した集塵袋ホルダ２１は、蓋体１１が開かれた状態で掃除機本体２の前部に出し入れされるようになっている。図７及び図８等に示すように集塵袋ホルダ２１は、ホルダベース２２と、シール部材２７と、ハンドル２９を備えている。
【００２０】
ホルダベース２２は、その周部に周方向に連続した突縁２２ａを一体に有している。この突縁２２ａの平面形状は、受け部６と相似形で、かつ、集塵室５の開口より僅かに大きい。ホルダベース２２の中央部にベース孔２３が開けられている。図７に示すようにベース孔２３の両側に位置してハンドル取付け２４がホルダベース２２の表面に形成されている。図８に示すようにベース孔２３の両側に位置して袋支持部２５がホルダベース２２の裏面に形成されている。
【００２１】
シール部材２７はエラストマ等やゴム等の弾性変形が可能な軟質材料により枠状に形成されている。シール部材２７は、その内周に開放しかつ突縁２２ａに嵌合する溝を有しており、この溝内面を図示しない接着剤により突縁２２ａに接着することによって、突縁２２ａの表裏面を覆ってホルダベース２２の周部に固定されている。ホルダベース２２の周部はシール部材２７を介して集塵室５の開口縁をなした受け部６上に着脱自在に支持されるようになっている。
【００２２】
このシール部材２７は、後述するように蓋体１１が閉じられた状態で集塵室５の開口をシールして集塵室５の気密を確保するのに使用される。このため、この電気掃除機１においては、掃除機本体２及び蓋体１１のいずれにも集塵室５の気密を確保するシール部材を、接着剤を用いて止める必要がない。
【００２３】
それにより、大形である故に部品コストが高い掃除機本体２又は蓋体１１が廃棄されることがない。これに対して、集塵袋ホルダ２１に接着止めされたシール部材２７が外観不良として視認される程度に適正な接着位置から食み出した場合等の接着不良を生じて、この接着不良に起因して、集塵袋ホルダ２１が廃棄されることがあっても、この集塵袋ホルダ２１は掃除機本体２及び蓋体１１よりも小さい。したがって、掃除機本体２又は蓋体１１を廃棄する場合と比較して、集塵袋ホルダ２１の廃棄に伴う材料費の無駄を軽減できる。
【００２４】
ハンドル２９は、その両端部を一対のハンドル取付け部２４に回動自在に連結して設けられている。この連結部に設けられた図示しない捻りばねによりハンドル２９は起立方向に付勢されている。これとともに、ハンドル２９は起立位置からホルダベース２２の表面に沿って倒伏可能であり、倒伏されたハンドル２９（図７参照）はシール部材２７に掛からないようになっている。
【００２５】
図７等に示すように集塵袋３１は支持板３２と袋本体３３を有している。支持板３２は平板状の厚紙からなり、その中央部に形成された通孔３２ａを有している。通孔３２ａはベース孔２３より小径である。この通孔３２ａに臨んで柔軟性を有した合成樹脂製のフィルム３４が支持板３２の裏面に装着されている。フィルム３４が有した中心孔３４ａは、フィルム３４の自在な変形により拡径可能である。袋本体３３は、例えば通気性を有した紙袋からなり、支持板３２の裏面に装着されている。
【００２６】
集塵袋３１の支持板３２は、その縁部を前記袋支持部２５に着脱可能に係合させることによって、集塵袋ホルダ２１の裏側に着脱可能に取付けられている。
【００２７】
この集塵袋３１を裏側に支持した集塵袋ホルダ２１は、蓋体１１が開かれた状態で掃除機本体２の上部本体ケース２ｂの内側に出し入れ可能である。上部本体ケース２ｂの内側に集塵袋ホルダ２１が収容された状態で、そのホルダベース２２の周部は、集塵室５の開口を囲んだ受け部６に載置される。詳しくは、図５及び図６等に示されるようにホルダベース２２の周部に取付けられているシール部材２７の裏面が受け部６に接して集塵袋ホルダ２１が掃除機本体２に支持される。この状態で、集塵袋３１の袋本体３３は集塵室５に収容される。
【００２８】
この状態では、蓋体１１が開かれているので、ハンドル２９は起き上がった状態にある。したがって、このハンドル２９を握持して引き上げて、集塵袋３１ごと集塵袋ホルダ２１を掃除機本体２の前部から取出せるので、集塵袋３１の捨て場所まで集塵袋３１に手を触れることなく持ち運んで、この集塵袋３１を廃棄処理することができる。
【００２９】
集塵袋３１が取付けられた集塵袋ホルダ２１が以上のように掃除機本体２に支持された状態で、蓋体１１を閉じることで、この蓋体１１と掃除機本体２との間に集塵袋ホルダ２１を固定できる。すなわち、蓋体１１が閉じられると、図６等に示すように蓋体１１の枠状の押圧部１６がこれと略同形の枠状をなしたシール部材２７の表面を押すので、シール部材２７及びこれが被嵌されたホルダベース２２の突縁２２ａが、掃除機本体２の受け部６と蓋体１１の押圧部１６とで上下から挟持される。それにより、シール部材２７が圧縮状態となって、集塵室５の気密が保持される。
【００３０】
なお、蓋体１１が閉じられることに伴って、この蓋体１１のハンドル押さえ１９が集塵袋ホルダ２１のハンドル２９を押すので、ハンドル２９は下向きに回動されてホルダベース２２の表面に沿う倒伏状態に保持される。同様に、蓋体１１が閉じられることに伴って、この蓋体１１の支持板押さえ１８が支持板３２のベース孔２３に露出している部分に上方から接する。
【００３１】
更に、蓋体１１が閉じられると、それに伴い、吸込み口１５の端部１５ａが集塵袋３１内に挿入される。すなわち、吸込み口１５の端部１５ａが、ホルダベース２２のベース孔２３及び支持板３２の通孔３２ａを通るとともに、フィルム３４の中心孔３４ａをこのフィルム３４を変形させながら挿通する。それにより、吸込み口１５が集塵室６内に配置されている袋本体３３内に連通される。
【００３２】
掃除の際には、以上の閉蓋状態で、吸込み口１５に図示しない吸塵ホースを接続してから電動送風機１０が運転される。これにより、吸塵ホースを通じて含塵空気が吸込み口１５から集塵袋３１内に導入されて、この集塵袋３１の袋本体３３により空気中の塵が捕捉される。そして、この際、袋本体３３を通過した空気は、集塵室５内からその下流側の送風機室内の電動送風機１０に吸引された後、この電動送風機１０から排出されて掃除機本体２の後部の図示しない排気部を通って掃除機本体２外に排出される。
【００３３】
こうした正常な動作では既述のように集塵室５の開口が気密にシールされているので、電動送風機１０の運転音が集塵室５の開口を通って外部に漏れることがない。そのため、電動送風機１０の運転音が大きく聞こえることがない。
【００３４】
ところで、集塵袋ホルダ２１が取付けられない状態でも、蓋体１１を閉じることは可能である。しかし、この場合、掃除機本体２の受け部６と蓋体１１の押圧部１６との間は隙間が開いた状態となり、この隙間及び掃除機本体２の前部開放端２ｃと蓋体１１との合わせ目間にできる隙間を通じて集塵室５内と掃除機本体２の外部とは連通される。
【００３５】
そのため、集塵袋ホルダ２１が未装着の状態で電動送風機１０が運転されると、掃除機本体２の外部の空気が前記隙間を通して集塵室５に吸込まれるので、吸込み口１５を通って吸込まれる含塵空気の量を激減させることができる。これとともに、電動送風機１０の運転音が集塵室５の開口を通って外部に漏れるに伴い、その運転音が使用者にとっては大きく聞こえるので、集塵袋ホルダ２１が未装着の状態であることを容易に知覚させることができる。
【００３６】
図９〜図１１を参照して本発明の第２実施形態を説明する。以下の説明で、第１実施形態と同じ構成については第１実施形態と同じ符号を付してその説明を省略するとともに、し、第１実施形態とは異なる事項について次に説明する。この説明においては必要に応じて第１実施形態の図面も参照する。
【００３７】
第２実施形態では、第１実施形態で用いた集塵袋ホルダを省略するとともに、集塵袋３１を、支持板３２の周部にシール部材２７を接着剤により止めて形成している。
【００３８】
詳しくは、支持板３２は、集塵室５の開口を閉じることができる大きさであり、その周部形状は、受け部６と相似形で、かつ、集塵室５の開口より僅かに大きい。エラストマ等やゴム等の弾性変形が可能な軟質材料により枠状に形成されたシール部材２７は、支持板３２の周縁に嵌合する環状の溝２７ａ（図１１参照）を有している。この溝２７ａの内面を図示しない接着剤により支持板３２の周縁に接着することによって、シール部材２７は支持板３２の周部の表裏面を覆って支持板３２の周部に固定されている（図１０参照）。
【００３９】
集塵袋３１の支持板３２はシール部材２７を介して受け部６に着脱自在に支持される。そして、蓋体１１が閉じられた状態では、集塵室５の開口を囲んだ受け部６と、蓋体１１の押圧部１６（図２及び図６参照）が、シール部材２７及びこれが嵌合された支持板３２の周縁を上下から挟持して、集塵室５の気密を保持するようになっている。以上説明した事項以外の事項は、図９〜図１１に示されない構成を含めて第１実施形態と同じである。
【００４０】
したがって、この第２実施形態では、第１実施形態で説明したのと同様な理由によって、集塵室５の気密を確保するシール部材２７の接着不良に起因する材料費の無駄を軽減できる。しかも、第２実施形態では、第１実施形態で用いた集塵袋ホルダを用いないので、部品点数及びコストを削減できる点で好ましい。
【００４１】
本発明は前記各実施形態には制約されない。例えば、第２実施形態ではシール部材２７を支持板３２の周部に接着止めしたが、これに代えて、支持板３２と袋本体３３とを有した集塵袋３１とは別にシール部材２７を備えても良い。すなわち、集塵袋３１の支持板３２の周部に、枠状に成形されるとともに内周に開放する溝２７ａを有した枠状のシール部材２７を、着脱可能に取付けて実施することもできる。この場合、集塵袋３１が廃棄処分される際に、シール部材２７を回収できる。そして、回収されたシール部材２７は、新たに使用される集塵袋３１の支持板３２の周部に嵌合されて取付けられる。そのため、シール部材２７が廃棄対象となることがなく、この点で集塵袋３１の廃棄に伴う材料費の無駄を軽減できる。
【００４２】
又、前記各実施形態では、集塵室５は、掃除機本体２の上方に開口しているが、これに代えて掃除機本体２の前方に開放していても良い。この場合、集塵袋ホルダ２１のホルダベース２２の周部に取付けられたシール部材２７、又は集塵袋３１の支持板３２の周部に設けられたシール部材２７を、蓋体１１が閉じられることによって蓋体１１の押圧部１６と集塵室５の開口を囲んだ受け部６とで前後方向から挟持して、集塵室５の開口の気密を確保することができる。
【図面の簡単な説明】
【００４３】
【図１】本発明の第１実施形態に係る電気掃除機の掃除機本体を示す斜視図。
【図２】図１の掃除機本体を開蓋状態で示す斜視図。
【図３】掃除機本体にセットされる集塵袋ホルダとともに図１の掃除機本体を開蓋状態で示す斜視図。
【図４】図１の掃除機本体の集塵室まわりを示す断面図。
【図５】図４中Ｆ５−Ｆ５線に沿って示す断面図。
【図６】図５中Ｆ６部を拡大して示す断面。
【図７】第１実施形態に係る電気掃除機が備える集塵袋ホルダとこれに着脱される集塵袋とを分離した状態で示す斜視図。
【図８】図７の集塵袋ホルダを示す裏面図。
【図９】本発明の第２実施形態に係る電気掃除機の掃除機本体を開蓋状態で示す斜視図。
【図１０】掃除機本体にセットされる集塵袋とともに図９の掃除機本体を開蓋状態で示す斜視図。
【図１１】第２実施形態に係る電気掃除機が備える集塵袋とそのシール部材とを分離した状態で示す斜視図。
【符号の説明】
【００４４】
１…電気掃除機、２…掃除機本体、５…集塵室、６…受け部、１０…電動送風機、１１…蓋体、１５…吸込み口、１６…押圧部、２１…集塵袋ホルダ、２２…ホルダベース、２２ａ…ホルダベースの周部の突縁、２３…ベース孔、２４…袋支持部、２７…シール部材、３１…集塵袋、３２…支持板、３２ａ…支持板の通孔、３３…袋本体
【図１】
2009106449.tif 000003
【図２】
2009106449.tif 000004
【図３】
2009106449.tif 000005
【図４】
2009106449.tif 000006
【図５】
2009106449.tif 000007
【図６】
2009106449.tif 000008
【図７】
2009106449.tif 000009
【図８】
2009106449.tif 000010
【図９】
2009106449.tif 000011
【図１０】
2009106449.tif 000012
【図１１】
2009106449.tif 000013